(57)【要約】  本発明は、機能要素２１とワイヤ配索要素２２とを有する、特に終端条片である、通信システム用の分配装置に関する。機能要素２１は出入ケーブル芯線を接続する接触要素を備え、ワイヤ配索要素２２はワイヤ配索面を形成しケーブル芯線を配索するためのワイヤ配索溝を備える。本発明によると、ワイヤ配索要素２２と機能要素２１とは同じ面の上に延在する。
2008544456.tif 000002
【特許請求の範囲】
【請求項１】
機能要素とワイヤ配索要素とを備え、通信設備のための分配ストリップである、出入りするケーブルの芯線の接続のための接触要素を有する機能要素と配索平面を形成するワイヤ配索溝を有するワイヤ配索要素とが設けられた分配装置であり、ワイヤ配索要素２２と機能要素２１が同じ平面に設けられていることを特徴とする分配装置。
【請求項２】
前記ワイヤ配索要素２２の前記ワイヤ配索溝２５が２つのワイヤ配索面２３、２４を形成し、前記機能要素２１が２つの前記ワイヤ配索面２３、２４により規定された面の上に延在することを特徴とする請求項１記載の分配装置。
【請求項３】
前記ワイヤ配索要素２２が、互いに近接し少なくとも高さについて互いに一致する寸法を有する前壁２７および後壁３０を備え、前記機能要素２１が前記ワイヤ配索要素２２の該前壁に位置づけられることを特徴とする請求項１または２記載の分配装置。
【請求項４】
前記ワイヤ配索溝２５が前記ワイヤ配索要素２２の側壁２６から前記ワイヤ配索要素の前壁２７へ設けられ、前記ケーブルの芯線２９と接続するために使用される前記機能要素２１の前記接触要素２８が前記ワイヤ配索要素２２の前記前壁２７に隣接して位置づけられていることを特徴とする請求項１ないし３のいずれか記載の分配装置。
【請求項５】
前記接触要素２８が、前記ワイヤ配索要素２２の前記前壁２７に隣接する第１の端部３２に、前記ワイヤ配索要素２２を介し機能要素に向かって配索されたケーブルの芯線２９と接続するための絶縁排除終端部材３３、３４を有し、前記接触要素２８が、前記第１の端部３２と反対の第２の端部３５に接続プラグ３７の接続部３８のソケット３６を有することを特徴とする請求項１ないし４のいずれか記載の分配装置。
【請求項６】
前記 ワイヤ配索要素２２を介し前記機能要素へ配索されるケーブル芯線間を接続し、前記機能要素の後面３０を介し前記機能要素２１内に挿入される接続プラグ３７が、前記機能要素２１の前壁３９から前記機能要素２１内に挿入可能であることを特徴とする請求項１ないし５のいずれか記載の分配装置。
【請求項７】
前記機能要素２１が前記接触要素２８のための保持部３１を備え、該保持部が、機能要素２１の前面３９で、該保持部３１に着脱可能に接続された前面プレート４１により覆われたことを特徴とする請求項１ないし６のいずれか記載の分配装置。
【請求項８】
凹部４０が前記前面プレート４１に一体に形成され、該凹部を通し、前記接続プラグ３７の接触子３８が接触要素２８のソケット３６内に挿入可能であることを特徴とする請求項７記載の分配装置。
【請求項９】
過電圧保護モジュールおよび・あるいは過電圧電流モジュールおよび・あるいはＤＳＬスプリッタモジュールの接続のための凹部４３が、前記接続プラグの接触子３８の反対側一体に形成されたことを特徴とする請求項５ないし８のいずれか記載の分配装置。
【発明の詳細な説明】
【技術分野】
【０００１】
本発明は、請求項１の前段規定に主張する通信設備のための分配装置に関する。
【背景技術】
【０００２】
ドイツ国特許DE 195 37 529 C1およびDE 202 00 746 U1による従来例は、条片部分配器の形で、ワイヤ配索要素に加えた機能要素を有する通信設備のための分配装置を開示している。ここで開示されている条片分配器の機能要素は、その条片分配器の機能要素に接続されるワイヤ配索要素の配索溝をワイヤ配索面の形でその上面、底面に備える、入出ケーブルの接触要素を有する。従来例から公知の条片分配器はそれぞれ少なくとも二つのワイヤ配索面を備え、機能要素がその二つのワイヤ配索面の間に接触要素と共に位置づけられている。DE 202 00 746 U1による条片分配器において、ワイヤ配索面は、機能要素の一方の面に配置され、対照的に、二つのワイヤ配索面はその反対側に位置する。
【０００３】
従来例で知られた条片分配器は、ワイヤ配索面を形成するワイヤ配索要素のワイヤ配索溝と異なる面上に接触要素と共に配索される機能要素の共通の特徴を有する。これは、特に複数の条片分配器が分布ブロックを形成するようにサンドイッチのように一方を他方の上に配置させるとき、このような条片分配器に必要とされる空間を正確に決定する。複数のワイヤ配索面は、このように通常、分配ブロック内の隣接する機能要素間に配索される。これについて、EP 0 966 844 B1が参照となる。
【０００４】
より高い実装密度を確実にするため、条片分配器のような分配装置のための空間要求を最小限にすることが望ましい。
【発明の開示】
【発明が解決しようとする課題】
【０００５】
このような背景に対し、本発明は、通信設備のための新しい分配装置を提供する課題に基づいている。
【０００６】
この課題は、請求項１の特徴を有する分配装置によって解決される。本発明によると、ワイヤ配索要素と機能要素は同じ平面の上に配索されている。
【課題を解決するための手段】
【０００７】
この本発明の目的のために、機能要素が、対応するワイヤ配索要素の、機能要素と相互作用するワイヤ配索溝と同じ面の上を配索されるような、従来例から公知の分配装置の物理的高さと比較して、その物理的高さが低減される。機能要素の接触要素は、機能要素と相互作用するワイヤ配索溝あるいはワイヤ配索要素のワイヤ配索面により規定される面の上に配置される。サンドイッチのようにその間に位置づけされる機能要素を有する二つのワイヤ配索面を備える機能を有する条片と比較して、物理的高さを約３分の１に低減できる。
【０００８】
本発明の一つの更なる展開として、ワイヤ配索要素の前壁と機能要素の後壁とが互いに隣接するよう機能要素をワイヤ配索要素の前方に位置決めし、ワイヤ配索溝をワイヤ配索要素の側壁からその前壁へ配置し、さらに、機能要素内に位置決めされ、ケーブル芯線と接続するために使用され、ワイヤ配索要素の前壁に隣接する機能要素の接触要素を備える。
【０００９】
また、接触要素は、ワイヤ配索要素を介し、機能要素に配索されたケーブル芯線の、ワイヤ配索要素の前壁に近接する第１の端部で、接触する絶縁排除終端部材を備え、その接触要素は第１の端部と反対側の第２の端部で接続プラグと接触のためのソケットを備え、その場合、ワイヤ配索要素を介し機能要素へ配索され後壁を介し機能要素内に挿入されるケーブル芯線間に接触を生じさせるため、機能要素の前壁から機能要素内に、接続プラグを挿入することができる。
【実施例１】
【００１０】
図２−６を参照にして以下に詳しく本発明を記述する前に、はじめに図１を参照して従来例から知られている分配装置を説明する。
【００１１】
図１は、通信設備のための従来から知られた条片分配器の形式の分配装置１０を示す。従来例の条片分配器１０は、機能要素１１とワイヤ配索要素１２とを備え、ワイヤ配索要素１２が機能要素１１の両側にワイヤ配索溝１５を構成するワイヤ配索面１３、１４を形成する。機能要素１１は、二つのワイヤ配索面１３、１４の間にサンドイッチの形で位置づけられ、この機能要素１１は出入ケーブル芯線のための複数の接触要素１６を備える。図１に示すような従来例による機能的な分配器１０は３つの面、二つのワイヤ配索面１３、１４と面１７とを有し、その面１７はワイヤ配索面１３、１４の間に延在し、機能要素１１および・あるいは機能要素の接触要素１６により形成される。機能要素１１の接触要素１６は、ワイヤ配索面１３、１４の間の面１７内に、ワイヤ配索面１３、１４に平行に延在する二つの列１８、１９を形成する。複数の条片分配器１０がサンドイッチのように一つが他の上に配置されるとき、二つのワイヤ配索面１３、１４と、この二つのワイヤ配索面１３、１４の間に配置された条片分配器１０の機能要素１１とにより決定されるように、条片分配器１０の高さにより要求される物理的空間を有する分配ブロックを形成することが可能である。
【００１２】
図２は、通信設備のための条片分配器２０の形で、本発明による分配装置を示す。この本発明による条片分配器２０は、機能要素２１とワイヤ配索要素２２とを備える。ワイヤ配索要素２２はワイヤ配索面２３、２４を形成するワイヤ配索溝２５を備える。このワイヤ配索溝は、ワイヤ配索要素２２の前面２７の方向に、ワイヤ配索要素２２に沿ってその側壁から配置されている。機能要素21は、出入ケーブルの接続のための接触要素28を備える。図４は、一つのケーブル芯線２９を有する一つの接触要素28を示す。
【００１３】
本発明の目的のため、ワイヤ配索要素２２により規定された面、特に、二つのワイヤ配索面２３、２４により規定された面の上に、機能要素２１が配索される。図２、３に示すように、ワイヤ配索要素２２の前面２７が機能要素２１の後壁３０の反対側となるよう、機能要素２１がワイヤ配索要素２２の前壁に位置する。この場合における機能要素２１の後壁３０と同様に、ワイヤ配索要素２２の前壁２７は相互に対応する寸法を有する。
【００１４】
本発明による条片分配器２０の物理的高さは、ワイヤ配索要素２２と二つのワイヤ配索面２３、２４の物理的高さにより決定され、機能要素２１はワイヤ配索要素の前方に配置され、更なる物理的高さを占めることはない。これは、本発明による条片分配器２０の物理的高さを低減可能とし、図１に示す従来例による条片分配器１０の高さと比較して、図２、３に示すように、本発明による条片分配器２０の物理的高さが、約３分の１となる。
【００１５】
ケーブル芯線２９と接触する接触要素２８は、この接触要素２８がワイヤ配索要素２２の前壁２７に隣接する第１の端部３２と共に配置されるように精密に、機能要素２１の保持部３１内に配置される。それぞれ二つの絶縁排除終端部材半分３３、３４により形成される絶縁排除終端部材は、接触要素２８の第１の端部３２で形成される。ケーブル芯線２９の一方の端部は、二つの絶縁排除終端部材の間に位置付けされ、二つの絶縁排除終端部材半分３３、３４の組立の後、ケーブル芯線２９と接触要素２８との間に生成される電気接触を有する（図４参照）。
【００１６】
接触要素２８は、出入ケーブル芯線の間に接触を生じるように接触子３８を有する接続プラグ３７が挿入できるソケットを第１の端部３２の反対側の端部３５に備える。図２、３に示すように、プラグ３７を、機能要素２１の前壁３９を介し機能要素２１内に挿入することができ、このように、機能要素２１の前壁３９を塞ぎ、機能要素２１の保持部３１に着脱可能に接続される前面プレート４１内の凹部４０を介し精密に挿入することができる。
【００１７】
図４から特に解るように、接触要素２８はガイド条片４５を有し、そのガイド条片を介し、接触要素２８が保持部３１内の凹部４６内に挿入される。接触要素２８が一旦保持部３１の凹部４６内に挿入されると、前面プレート４１はプラグ接続部４７を介し、保持部３１に取り付けられる。接触要素２８は小プレート４２により覆われる。
【００１８】
凹部４３、４４は、接続プラグ３７の接触子３８の反対側に一体に形成されている。プラグ要素の接触子を、過電流あるいは過電圧保護、あるいはＤＳＬ分割器とケーブル芯線との間を接触させるように、凹部４３を介し、接続プラグ３７内に挿入することができる。分離プラグを、分離点を形成するように、凹部４４を介し接続プラグ３７内に挿入することができる。
【００１９】
従来例から知られている分配装置と比較して、本発明による分配装置は、低減された物理的な高さにより区別される。機能要素および・または機能要素の接触要素がワイヤ配索溝により形成された面の上に延在する。
【００２０】
接続プラグは、出入ケーブル芯線の間の接触を生じさるために使用され、接触要素内に挿入される。接触要素は、機能要素の前壁を介しケーブル芯線に接続される。過電圧保護機能および・または過電流保護機能および・またはＤＳＬ分配器の形でのフィルタ機能は、接続プラグ内に挿入できるモジュールを介し分配装置に一体化することができる。
【図面の簡単な説明】
【００２１】
【図１】従来例による分配装置の正面の斜視図である。
【図２】本発明による分配装置の正面の斜視図である。
【図３】本発明による分配装置の分解概略図である。
【図４】図２に示された本発明による分配装置の、一つのケーブル芯線を共に有する機能要素の斜視図である。
【図５】図４に示された接触要素の分解概略図である。
【図６】図２に示された本発明による分配装置の接続プラグの斜視図である。
【符号の説明】
【００２２】
１０      条片分配器
１１      機能要素
１２      機能要素
１３      ワイヤ配索面
１４      ワイヤ配索面
１５      ワイヤ配索溝
１６      接触要素
１７      面
１８      列
１９      列
２０      条片分配器
２１      機能要素
２２      ワイヤ配索要素
２３      ワイヤ配索面
２４      ワイヤ配索面
２５      ワイヤ配索溝
２６      側壁
２７      前壁
２８      接触要素
２９      ケーブル芯線
３０      後壁
３１      保持部
３２      端部
３３      絶縁排除終端部半分
３４      絶縁排除終端部半分
３５      端部
３６      ソケット
３７      接続プラグ
３８      接触子
３９      前壁
４０      凹部
４１      前面プレート
４２      小プレート
４３      凹部
４４      凹部
４５      ガイド条片
４６      凹部
４７      プラグ接続部
【図１】
2008544456.tif 000003
【図２】
2008544456.tif 000004
【図３】
2008544456.tif 000005
【図４】
2008544456.tif 000006
【図５】
2008544456.tif 000007
【図６】
2008544456.tif 000008
【国際調査報告】
2008544456.tif 000009
2008544456.tif 000010
2008544456.tif 000011
2008544456.tif 000012